(57)【要約】【課題】通知音を発音する際に発生したびびりを抑制し得る構成を提供する。【解決手段】発音部４４により発音された通知音に対してびびりが発生したと判定されると、当該通知音を発音させたときの周波数と異なるように設定周波数Ｆｓが変更される。そして、変更された設定周波数Ｆｓに基づいて発音部４４により通知音が発音される。【選択図】図３
2018101194.tif 000002
【特許請求の範囲】
【請求項１】
設定周波数に対応する通知音を発音する通知手段と、
前記設定周波数を変更可能な周波数変更手段と、
前記通知音に対してびびりが発生したか否かについて判定する判定手段と、
を備え、
前記周波数変更手段は、前記判定手段により前記通知音に対してびびりが発生したと判定されると、当該通知音を発音させたときの周波数と異なるように前記設定周波数を変更し、
前記通知手段は、前記周波数変更手段より変更された設定周波数に基づいて前記通知音を発音することを特徴とする情報読取装置。
【請求項２】
前記通知音を集音可能な集音手段を備え、
前記判定手段は、前記集音手段により集音された前記通知音に基づいて当該通知音に対してびびりが発生したか否かについて判定することを特徴とする請求項１に記載の情報読取装置。
【請求項３】
前記判定手段は、前記集音手段により集音された前記通知音に関して、前記設定周波数を基準とする所定の周波数範囲内にてベース音圧から所定値以上高くなる音圧が複数ある場合に、当該通知音に対してびびりが発生したと判定することを特徴とする請求項２に記載の情報読取装置。
【請求項４】
前記周波数変更手段により変更されていない初期の設定周波数よりもびびりが発生する可能性が低い周波数を、びびり抑制周波数とするとき、
前記周波数変更手段は、前記判定手段により前記通知音に対してびびりが発生したと判定されると、前記びびり抑制周波数となるように前記設定周波数を直ちに変更することを特徴とする請求項１〜３のいずれか一項に記載の情報読取装置。
【請求項５】
前記周波数変更手段により変更されていない初期の設定周波数よりもびびりが発生する可能性が低い周波数を、びびり抑制周波数とするとき、
前記周波数変更手段は、前記判定手段により前記通知音に対してびびりが発生したと判定されると、前記びびり抑制周波数に向けて前記設定周波数を徐々に変更することを特徴とする請求項１〜３のいずれか一項に記載の情報読取装置。
【請求項６】
前記周波数変更手段により変更された設定周波数が記憶される記憶手段を備え、
前記通知手段は、前記記憶手段から取得した前記設定周波数に対応する通知音を発音することを特徴とする請求項１〜５のいずれか一項に記載の情報読取装置。
【発明の詳細な説明】
【技術分野】
【０００１】
本発明は、情報読取装置に関するものである。
【背景技術】
【０００２】
従来、情報読取装置では、読取完了時やボタン押下操作時等にその状態に応じた通知音を発音させることで、使用者に対して操作に応じた読取状況等を認識させている。読取状況等をより詳細に認識させるためには、さまざまな種類の通知音を発音させる必要があり、メーカ指定の基準周波数と異なる周波数を使用して通知音を発音させる場合、その周波数によってはびびりが発生するという問題がある。また、部品単位ではびびりが発生していなくても、ケース等に組み付けて製品化するとびびりが発生する場合もある。例えば、びびりが発生する可能性が高い周波数を予め調べてその周波数を使用できないようにすることも考えられるが、そのように設定したとしても、製品の個体差や落下衝撃などによる組み付け状態の変化によってびびりが発生してしまう場合がある。
【先行技術文献】
【特許文献】
【０００３】
【特許文献１】特開２０１５−１４９６８１号公報
【発明の概要】
【発明が解決しようとする課題】
【０００４】
通知音に関する問題を解決する技術として、例えば、上記特許文献１に開示される携帯型通話端末が知られている。この携帯型通話端末は、マイクにより周囲の雑音を集音して読み取った周波数の波形の逆位相を利用してノイズを相殺するように機能する。しかしながら、このようなノイズキャンセル機能は、一般的に通話機能を主要な機能とする携帯電話等に設けられるもので、例えば、情報コードを光学的に読み取る情報読取装置など、通話を主要な機能としない端末に設けると、本来の要求される機能からすると無駄な部品が搭載されるため、部品点数の増大、ひいては装置の大型化を招くという問題がある。特に、上述のようにノイズをキャンセルする構成では、発音させるべき通知音にも影響してしまう可能性が有る。
【０００５】
本発明は、上述した課題を解決するためになされたものであり、その目的とするところは、通知音を発音する際に発生したびびりを抑制し得る構成を提供することにある。
【課題を解決するための手段】
【０００６】
上記目的を達成するため、特許請求の範囲の請求項１に記載の情報読取装置（１０）は、
設定周波数（Ｆｓ）に対応する通知音を発音する通知手段（４４）と、
前記設定周波数を変更可能な周波数変更手段（４０）と、
前記通知音に対してびびりが発生したか否かについて判定する判定手段（４０）と、
を備え、
前記周波数変更手段は、前記判定手段により前記通知音に対してびびりが発生したと判定されると、当該通知音を発音させたときの周波数と異なるように前記設定周波数を変更し、
前記通知手段は、前記周波数変更手段より変更された設定周波数に基づいて前記通知音を発音することを特徴とする。
なお、上記各括弧内の符号は、後述する実施形態に記載の具体的手段との対応関係を示すものである。
【発明の効果】
【０００７】
請求項１の発明では、通知手段により発音された通知音に対してびびりが発生したと判定手段により判定されると、当該通知音を発音させたときの周波数と異なるように設定周波数が周波数変更手段により変更される。そして、周波数変更手段より変更された設定周波数に基づいて通知手段により通知音が発音される。
【０００８】
これにより、通知音に対してびびりが発生すると設定周波数が変更されて通知音が発音されるため、発生したびびりが抑制されやすくなる。特に、びびりの発生を判定可能であればよく、ノイズキャンセル機能のように複雑な処理を行う必要もないため、部品点数の増大や装置の大型化を招くこともない。したがって、製品の個体差や落下衝撃などによる組み付け状態の変化がある場合でも、通知音を発音する際に発生したびびりを好適に抑制することができる。
【０００９】
請求項２の発明では、判定手段は、集音手段により集音された通知音に基づいて当該通知音に対してびびりが発生したか否かについて判定する。これにより、マイク等のように通知音を集音可能な集音手段を利用することでびびりが発生したか否かについて判定することができるので、びびりの発生を判定するための構成が簡素化されて部品点数の増大や装置の大型化を抑制することができる。
【００１０】
請求項３の発明では、集音手段により集音された通知音に関して、設定周波数を基準とする所定の周波数範囲内にてベース音圧から所定値以上高くなる音圧が複数ある場合に、当該通知音に対してびびりが発生したと判定手段により判定される。このようにベース音圧を基準にびびりが発生したか否かについて判定されるので、判定基準が明確になり、びびり発生に関する判定精度を向上させることができる。
【００１１】
請求項４の発明では、判定手段により通知音に対してびびりが発生したと判定されると、周波数変更手段により、びびり抑制周波数となるように設定周波数が直ちに変更されるので、通知音を発音する際に発生したびびりを迅速に抑制することができる。
【００１２】
請求項５の発明では、判定手段により通知音に対してびびりが発生したと判定されると、周波数変更手段により、びびり抑制周波数に向けて設定周波数が徐々に変更される。このように設定周波数が徐々に変更されることで、通知音の音色が変わっていることを利用者に気付かせ難くして、利用者の違和感を抑制することができる。
【００１３】
請求項６の発明では、周波数変更手段により変更された設定周波数が記憶手段に記憶され、通知手段は、記憶手段から取得した設定周波数に対応する通知音を発音する。これにより、通知手段が記憶手段から設定周波数を取得するタイミングに応じて通知音を発音させるときの周波数が変わるので、次の通知タイミングで上述のように変更した設定周波数に基づいて通知音を発音させることや通知音の発音中にその周波数を変えることもでき、通知音の変更タイミングに関して利便性を高めることができる。
【図面の簡単な説明】
【００１４】
【図１】第１実施形態に係る情報読取装置の構成概要を示す斜視図である。
【図２】図１の情報読取装置の電気的構成を例示するブロック図である。
【図３】図１の情報読取装置にて行われる通知処理の流れを例示するフローチャートである。
【図４】びびりが発生していない通知音に関する周波数解析結果を示す説明図である。
【図５】びびりが発生している通知音に関する周波数解析結果を示す説明図である。
【発明を実施するための形態】
【００１５】
［第１実施形態］
以下、本発明に係る情報読取装置を具現化した第１実施形態について、図面を参照して説明する。
図１に示す情報読取装置１０は、バーコードや二次元コード等の情報コードを光学的に読み取る携帯端末として構成されるものであり、長手状の外観をなし、その一端側のほぼ半分の領域が把持領域とされ、ユーザによって把持されつつ使用される構成をなしている。この情報読取装置１０は、例えば、ユーザによって携帯されて様々な場所で用いられる携帯型の情報端末として構成されており、バーコードや二次元コードなどの情報コードを光学的に読み取る光学的情報読取機能を有している。
【００１６】
図１に示すように、情報読取装置１０は、例えばＡＢＳ樹脂等の合成樹脂材料により形成される上側ケース体１１ａ及び下側ケース体１１ｂが組み付けられて構成される長手状の筐体１１によって外郭が形成されている。そして、上側ケース体１１ａには、所定の情報を入力する際に操作されるファンクションキー及びテンキー等の操作部４２や、所定の情報を表示するための液晶表示器４３等が配置されている。また、照明光や情報コードからの光の通過口となる読取口１２は、下側ケース体１１ｂの長手方向一方側の先端部寄りに設けられている。また、筐体１１の両側面には、情報コードを読み取る際に操作されるトリガーキー４２ａがそれぞれ設けられている。
【００１７】
図２に示すように、情報読取装置１０は、主に、照明光源２１、受光センサ２３、結像レンズ２７等の光学系と、メモリ３５、制御回路４０、操作部４２、液晶表示器４３等のマイクロコンピュータ（以下「マイコン」という）系と、図示しない電源部、電源スイッチ等の電源系と、から構成されている。なお、これらは、図略のプリント配線板に実装されたり、筐体１１内に内装されたりして配置されている。
【００１８】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＣが付された物品Ｒに向けて照明光Ｌｆを照射する例を概念的に示している。
【００１９】
受光光学系は、受光センサ２３、結像レンズ２７、反射鏡（図示略）などによって構成されている。受光センサ２３は、例えば、Ｃ−ＭＯＳやＣＣＤ等の固体撮像素子である受光素子を一次元に配列したラインセンサ、或いは２次元に配列したエリアセンサとして構成されるものであり、受光した受光素子ごとに反射光Ｌｒの強度に応じた電気信号を出力するように構成されている。この受光センサ２３は、結像レンズ２７を介して入射する入射光を受光可能にプリント配線板（図示略）に実装されている。
【００２０】
結像レンズ２７は、外部から読取口１２を介して入射する入射光を集光して受光センサ２３の受光面２３ａに像を結像可能な結像光学系として機能するものである。本実施形態では、照明光源２１から照射された照明光Ｌｆが情報コードにて反射した後、この反射光Ｌｒを結像レンズ２７で集光し、受光センサ２３の受光面２３ａにコード像を結像させている。
【００２１】
マイコン系は、増幅回路３１、Ａ／Ｄ変換回路３３、メモリ３５、アドレス発生回路３６、同期信号発生回路３８、制御回路４０等から構成されている。このマイコン系は、マイコン（情報処理装置）として機能し得る制御回路４０及びメモリ３５を中心として構成され、前述した光学系によって撮像された情報コードＣの画像信号をハードウェア的及びソフトウェア的に信号処理し得るものである。
【００２２】
光学系の受光センサ２３から出力される画像信号（アナログ信号）は増幅回路３１に入力され、この増幅回路３１によって所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３及びアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２３】
メモリ３５は、例えば半導体メモリ装置などの公知の記憶媒体によって構成され、例えばＲＡＭ、ＲＯＭ、その他の不揮発性メモリなどがこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、撮像した情報コードをデコードするための読取処理を実行可能なプログラムや通話処理を実行可能なプログラム等、その他、照明光源２１、受光センサ２３等の各ハードウェアを制御可能なシステムプログラム等が制御回路４０により制御可能に予め格納されている。
【００２４】
制御回路４０は、情報読取装置１０を全体的に制御可能なマイコンなどによって構成されており、ＣＰＵ、システムバス、入出力インタフェース等からなるものであり、情報処理機能を有している。この制御回路４０には、内蔵された入出力インタフェースを介して種々の入出力装置（周辺装置）が接続されており、図２の構成では、操作部４２、液晶表示器４３、発音部４４、バイブレータ４５、発光部４６、マイク４７、通信インタフェース４８等が接続されている。
【００２５】
操作部４２は、トリガーキー４２ａやファンクションキー及びテンキー等の複数のキーによって構成され、ユーザのキー操作に応じて制御回路４０に対して操作信号を与える構成をなしており、制御回路４０は、操作部４２から操作信号を受けたとき、その操作信号に応じた動作を行うように構成されている。液晶表示器４３は、公知の液晶表示パネルによって構成されており、制御回路４０によって表示内容が制御されるようになっている。
【００２６】
発音部４４は、例えば、圧電ブザーとして構成されており、制御回路４０により制御されて、各種操作・処理等に応じたビープ音等の通知音を発音することで、その操作・処理等に関して通知するように機能する。具体的には、通知すべき操作・処理等がなされる際に発音部４４により通知音を発音させるための基準となる周波数（以下、設定周波数ともいう）が記憶手段として機能するメモリ３５に記憶されている。制御回路４０は、通知すべき操作・処理等がなされたとき、後述する通知処理を行い、メモリ３５に記憶される設定周波数に応じた駆動信号を発音部４４に出力する。この出力を受けた発音部４４は、その設定周波数に応じた通知音を発音する。
【００２７】
ここで、通知すべき操作・処理等とは、例えば、トリガーキー４２ａの操作やこのトリガーキー４２ａの操作に応じてなされる情報コードの読み取りが成功したことの報知など、多種多様なものが想定される。
【００２８】
このように構成される発音部４４は、筐体１１の所定の位置に形成される放音口を介して外方に通知音を放音するように筐体１１内に配置されている。なお、発音部４４は、設定周波数に対応する通知音を発音する「通知手段」の一例に相当し得る。
【００２９】
バイブレータ４５は、携帯端末に搭載される公知のバイブレータによって構成されており、制御回路４０からの駆動信号に応じて振動を発生させるように機能する。発光部４６は、例えばＬＥＤであって、制御回路４０からの信号に応じて点灯・点滅するように機能する。通信インタフェース４８は、外部（例えばホスト装置）との間でのデータ通信を行うためのインタフェースとして構成されており、制御回路４０と協働して通信処理を行うように機能する。
【００３０】
マイク４７は、公知のマイクロフォンによって構成されており、制御回路４０により制御されて、周囲の音を筐体１１の所定の位置に形成されるマイク用開口を介して集音するように機能する。特に、本実施形態では、マイク４７は、発音部４４より発音された通知音を集音可能に配置されて、通知音等の集音した音に対応する信号を制御回路４０に出力するように構成されている。
【００３１】
次に、通知すべき操作・処理等に応じて通知される通知音のびびりを抑制するために制御回路４０で行われる通知処理について、図３〜図５を参照して詳述する。以下、通知すべき操作・処理等がなされた例として、トリガーキー４２ａが押圧操作された場合になされる通知処理について説明する。
読取口１２が向けられた情報コードを読み取るためにユーザがトリガーキー４２ａを押圧操作すると、制御回路４０では、情報コードを読み取る読取処理が開始されるとともに、その操作がなされたことを通知するために所定の通知音を発音する通知処理が開始される。
【００３２】
通知処理では、図３に示すように、まず、ステップＳ１０１にて通知音特定処理がなされ、上述のようにトリガーキー４２ａが押圧操作されていることから、トリガーキー４２ａの操作に応じた通知音が特定される。次に、ステップＳ１０３に示す駆動信号出力処理がなされ、特定された通知音（トリガーキー４２ａの操作）に対応してメモリ３５に記憶される設定周波数に応じた駆動信号が発音部４４に出力される。これにより、この出力を受けた発音部４４は、その設定周波数に応じた通知音を発音し、この通知音を聞いたユーザは、トリガーキー４２ａの操作が情報読取装置１０により認識されたことを知得できる。
【００３３】
続いて、ステップＳ１０５に示す集音処理がなされ、上述のように発音部４４にて発音された通知音が集音手段として機能するマイク４７を利用して集音される。そして、ステップステップＳ１０７に示す通知音解析処理がなされ、マイク４７を利用して集音された通知音の音圧波形が解析（観測）される。
【００３４】
次に、ステップＳ１０９に示す判定処理にて、上述のように集音された通知音にびびりが発生しているか否かについて判定される。本実施形態では、びびり判定基準として、例えば、設定周波数Ｆｓ（鳴動している周波数）を中心とする所定の周波数範囲ΔＦｔｈ内（例えば、前後５００Ｈｚ）で、ベースとする音圧レベル（以下、ベース音圧Ｐｂともいう）から所定値ΔＰｔｈ（例えば、２０ｄＢ）以上高くなる音圧が複数ある場合に、通知音に対してびびりが発生していると判定する。なお、上記ステップＳ１０９の判定処理を実行する制御回路４０は、「判定手段」の一例に相当し得る。
【００３５】
そして、図４に例示するように、設定周波数Ｆｓを中心とする所定の周波数範囲ΔＦｔｈ内で、ベース音圧Ｐｂから所定値ΔＰｔｈ以上高くなる音圧箇所が１以下であれば、通知音に対してびびりが発生していないとして、ステップＳ１０９にてＮｏと判定されて、設定周波数Ｆｓを変更することなく、本通知処理が終了する。
【００３６】
一方、図５に例示するように、設定周波数Ｆｓを中心とする所定の周波数範囲ΔＦｔｈ内で、ベース音圧Ｐｂから所定値ΔＰｔｈ以上高くなる音圧箇所が複数になると、通知音に対してびびりが発生しているとして、ステップＳ１０９にてＹｅｓと判定される。この場合には、ステップＳ１１１に示す設定周波数変更処理がなされ、メモリ３５に記憶される設定周波数Ｆｓが、変更されていない初期の設定周波数よりもびびりが発生する可能性が低い周波数（以下、びびり抑制周波数ともいう）に直ちに変更される。なお、上記ステップＳ１１１の処理を実行する制御回路４０は、メモリ３５に記憶される設定周波数Ｆｓを変更可能な「周波数変更手段」の一例に相当し得る。
【００３７】
具体的には、メモリ３５に記憶される設定周波数Ｆｓが、例えば、上記所定の周波数範囲ΔＦｔｈに対して所定の割合（例えば、−５００Ｈｚ〜＋５００Ｈｚの前後５００Ｈｚの周波数範囲であればその５％程度の５０Ｈｚ）だけ減じるようにして、びびり抑制周波数となるように変更される。そして、このようにメモリ３５に記憶される設定周波数Ｆｓがびびり抑制周波数となるように変更されて、本通知処理が終了する。
【００３８】
そして、次回以降にユーザがトリガーキー４２ａを押圧操作することで上記通知処理が再びなされると、特定された通知音に対応してメモリ３５に変更されて記憶される設定周波数Ｆｓ（びびり抑制周波数）に応じた駆動信号が発音部４４に出力される。これにより、びびりが発生していた設定周波数と異なるびびり抑制周波数に応じた通知音が発音されるため、びびりの発生が抑制された通知音が発音される。なお、このように設定周波数Ｆｓを変更した場合でもびびりが発生すると（Ｓ１０９でＹｅｓ）、メモリ３５に記憶される設定周波数Ｆｓが、さらに上記所定の割合だけ減じるように変更され、次回以降にびびりの発生がさらに抑制されやすくなった通知音が発音される。
【００３９】
以上説明したように、本実施形態に係る情報読取装置１０では、発音部４４により発音された通知音に対してびびりが発生したと判定されると、当該通知音を発音させたときの周波数と異なるように設定周波数Ｆｓが変更される。そして、変更された設定周波数Ｆｓに基づいて発音部４４により通知音が発音される。
【００４０】
これにより、通知音に対してびびりが発生すると設定周波数Ｆｓが変更されて通知音が発音されるため、発生したびびりが抑制されやすくなる。特に、びびりの発生を判定可能であればよく、ノイズキャンセル機能のように複雑な処理を行う必要もないため、部品点数の増大や装置の大型化を招くこともない。したがって、製品の個体差や落下衝撃などによる組み付け状態の変化がある場合でも、通知音を発音する際に発生したびびりを好適に抑制することができる。
【００４１】
さらに、マイク４７により集音された通知音に基づいて当該通知音に対してびびりが発生したか否かについて判定するため、びびりの発生を判定するための構成が簡素化されて部品点数の増大や装置の大型化を抑制することができる。
【００４２】
特に、マイク４７により集音された通知音に関して、設定周波数Ｆｓを基準とする所定の周波数範囲ΔＦｔｈ内にてベース音圧Ｐｂから所定値ΔＰｔｈ以上高くなる音圧が複数ある場合に、当該通知音に対してびびりが発生したと判定される。このようにベース音圧Ｐｂを基準にびびりが発生したか否かについて判定されるので、判定基準が明確になり、びびり発生に関する判定精度を向上させることができる。
【００４３】
さらに、通知音に対してびびりが発生したと判定されると、びびり抑制周波数となるように設定周波数Ｆｓが直ちに変更されるため、次回以降にびびりの発生が抑制されやすくなり、通知音を発音する際に発生したびびりを迅速に抑制することができる。
【００４４】
特に、変更された設定周波数Ｆｓがメモリ３５に記憶され、発音部４４は、制御回路４０による制御に応じてメモリ３５から取得した設定周波数Ｆｓに対応する通知音を発音する。これにより、発音部４４を制御する制御回路４０がメモリ３５から設定周波数Ｆｓを取得するタイミングに応じて通知音を発音させるときの周波数が変わるので、次の通知タイミングで上述のように変更した設定周波数Ｆｓに基づいて通知音を発音させることや通知音の発音中にその周波数を変えることもでき、通知音の変更タイミングに関して利便性を高めることができる。
【００４５】
なお、本発明は上記実施形態に限定されるものではなく、例えば、以下のように具体化してもよい。
（１）上記通知処理における設定周波数変更処理（Ｓ１１１）では、メモリ３５に記憶される設定周波数Ｆｓが、上記びびり抑制周波数となるように直ちに変更されることに限らず、上記びびり抑制周波数に向けて徐々に変更されてもよい。例えば、上記記所定の周波数範囲ΔＦｔｈに対して所定の割合（例えば、−５００Ｈｚ〜＋５００Ｈｚの前後５００Ｈｚの周波数範囲であればその１％程度の１０Ｈｚ）にて徐々に変更されてもよい。このように設定周波数Ｆｓが徐々に変更されることで、びびりが発生している通知音に対応する操作・処理等が連続してなされる場合でも、通知音の音色が変わっていることを利用者に気付かせ難くして、利用者の違和感を抑制することができる。なお、メモリ３５に記憶される設定周波数Ｆｓは、徐々に増加するように変更されてもよいし、徐々に増減するように変更されてもよい。
【００４６】
（２）上記通知処理における設定周波数変更処理（Ｓ１１１）では、メモリ３５に記憶される設定周波数Ｆｓは、上記所定の周波数範囲ΔＦｔｈに対して所定の割合だけ減じるようにして変更されることに限らず、例えば、所定の割合だけ増加するようにして変更されてもよい。また、設定周波数Ｆｓは、びびりが発生していると判定された際にそのベース音圧Ｐｂから所定値ΔＰｔｈ以上高くなる音圧箇所の周波数に応じて変更されてもよい。具体的には、例えば、所定値ΔＰｔｈ以上高くなる音圧箇所の周波数が設定周波数Ｆｓよりも小さい場合には、設定周波数Ｆｓを増加させるように変更してもよい。
【００４７】
（３）上記通知処理では、集音手段として機能するマイク４７を利用して集音した通知音の音圧波形の解析結果に基づいてびびりが発生しているか否かについて判定することに限らず、例えば、通知音の発音時に発音部４４近傍に設けられるセンサ等を利用して発音部４４近傍の振動波形を測定してこの解析結果に基づいてびびりが発生しているか否かについて判定してもよい。
【００４８】
（４）情報読取装置１０は、携帯端末として構成されることに限らず据え置き型の端末として構成されてもよい。また、情報読取装置１０は、情報コードを光学的に読み取る機能だけでなく、さらに、文字情報を含めた光学的情報を光学的に読み取るように構成されてもよいし、他の機能、例えば、無線タグを読み書き可能な無線通信機能を有するように構成されてもよい。
【符号の説明】
【００４９】
１０…情報読取装置
３５…メモリ（記憶手段）
４０…制御回路（周波数変更手段，判定手段）
４４…発音部（通知手段）
４７…マイク（集音手段）
Ｆｓ…設定周波数
Ｐｂ…ベース音圧
【図１】
2018101194.tif 000003
【図２】
2018101194.tif 000004
【図３】
2018101194.tif 000005
【図４】
2018101194.tif 000006
【図５】
2018101194.tif 000007